(57)【特許請求の範囲】
【請求項１】
複数の導体を所定間隔を隔てるように配置してベースフィルムで挟み込んでなるフラット回路体の中間部に接続端子を接続固定し、前記フラット回路体を折り返してなるフラット回路体の分岐端末構造であって、
前記接続端子には、前端側に相手接続端子と接続する端子部が設けられ且つ後端側に接続基板部が延在されると共に、該接続基板部に前記導体を貫通して前記フラット回路体を接続固定させる接続用突起が形成されており、
前記端子部の後端部には、前記接続用突起を加締めて前記接続基板部上に固定した前記フラット回路体の折曲部を押さえる押さえ部が、前記回路体の折曲部に当接し、前記接続端子をコネクタハウジングの端子収容部に挿入する際、前記折曲部が膨らみ上がるのを防ぐように形成されていることを特徴とするフラット回路体の分岐端末構造。
【請求項２】
請求項１記載のフラット回路体の分岐端末構造であって、
前記押さえ部は、前記端子部の後端上部から垂下する垂下板部と該垂下板部の下端縁から後斜め上方へ向けて延在された押さえ板部とからなり、
前記接続端子がコネクタハウジングに挿入されたときに、前記押さえ板部が前記コネクタハウジングに当接して前記折曲部を押さえ付けることを特徴とするフラット回路体の分岐端末構造。
【請求項３】
請求項１記載のフラット回路体の分岐端末構造であって、
前記押さえ部は、前記端子部の後端両側部から後方へ向けて該端子部の幅よりも次第に広がる片部として形成されており、
前記接続端子がコネクタハウジングに挿入されたときに、前記押さえ部が前記コネクタハウジングに当接して前記折曲部を押さえ付けることを特徴とするフラット回路体の分岐端末構造。
【請求項４】
請求項１記載のフラット回路体の分岐端末構造であって、
前記押さえ部は、前記端子部の後端両側部から後方へ向けて突設されており、
前記フラット回路体を前記接続基板部に接続固定したときに、前記押さえ部が前記折曲部を押さえ付けることを特徴とするフラット回路体の分岐端末構造。
【請求項５】
請求項１乃至請求項４のいずれかに記載のフラット回路体の分岐端末構造であって、
前記フラット回路体は、前記接続用基板部に重なる部分で前記各導体が分離するように該導体同士の間にスリットが形成されていることを特徴とするフラット回路体の分岐端末構造。
【発明の詳細な説明】
【０００１】
【発明の属する技術分野】
この発明は、フレキシブル・フラットケーブル（以下、ＦＦＣという）やフレキシブル・プリントサーキット（以下、ＦＰＣという）等のフラット回路体の分岐端末構造に関する。
【０００２】
【従来の技術】
一般に、フラット回路体を用いて回路間の電気的な接続を行ったり回路を分岐させる場合、フラット回路体の端末にコネクタを取り付け、このコネクタを相手側コネクタに接続するようにしている。このようなフラット回路体の分岐端末構造としては、例えば、複数の導体を所定間隔を隔てるように配置してベースフィルムで挟み込んでなるフラット回路体の中間部に接続端子を接続固定し、この接続端子上で前記フラット回路体を折り返すようにして形成されている。
【０００３】
しかし、フラット回路体を折り返した状態で接続端子をコネクタハウジングの端子収容室（キャビティ部）に挿入すると、前記折返し部が膨らんでしまうため、端子収容室内で干渉してしまい、接続端子のコネクタハウジングへの組み付け作業に支障を来す。
【０００４】
この一方、図８〜図１０に示すような、特開平４−３５９８７５号公報記載に記載されたフラット回路体の分岐端末構造も提案されている。かかるフラット回路体の分岐端末構造においては、図８に示すような接続端子１が用いられている。この接続端子１は前端部に相手端子と接続する嵌合部２を有し、後端部側に高さの高い（Ｈ１）の折曲接続片３とこれより高さの低い（Ｈ２）折曲接続片４とが形成されている。そして、図９に示すように、平行に配置された複数の接続端子１に対して２つの可撓性平型導体ケーブル５、６の端末部分を所定距離ずらして重ね合わせ、折曲接続片３、４をこれら可撓性平型導体ケーブル５、６に貫通させて折り曲げることでそれぞれの可撓性平型導体ケーブル５、６と接続端子１との接続を図っている。
【０００５】
図９及び図１０に示すように、接続端子１に接続された下層の可撓性平型導体ケーブル５は高さの低い折曲接続片４により接続、導通がとられており、上層の可撓性平型導体ケーブル６は高さの高い折曲接続片３により接続、導通がとられている。なお、可撓性平型導体ケーブル５は、平行をなすように配置された複数の導体７が、図１０に示すように絶縁被覆層９、９で挟み込まれている。また、可撓性平型導体ケーブル６は、平行をなすように配置された複数の導体８が絶縁被覆層１０、１０で挟み込まれている。
【０００６】
上記構成のフラット回路体の分岐端末構造を製造するに当たっては、可撓性平型導体ケーブル５の端末部分に接続端子１の折曲接続片４を突き刺した（ピアッシング）後、ピアッシング治具を用いて折曲接続片４の先端側を折り曲げてその先端が導体７と接触するように加工される。その後、もう一方の可撓性平型導体ケーブル６を接続済みの可撓性平型導体ケーブル５の端縁と所定距離ずらして重ね合わせ、折曲接続片３を突き刺して図１１に示すように、ピアッシング治具１１を再度用いて折曲接続片３を折り曲げてその先端が導体８と接触するように加工される。このようにして、図９及び図１０に示すような分岐端末構造が製造される。
【０００７】
【発明が解決しようとする課題】
しかしながら、上記したフラット回路体の分岐端末構造では、折曲接続片３、４でピアッシング接続工程を２回に分けて行うため、製造工程数が多くタクトがかかるという問題点がある。
【０００８】
そこで本発明は、フラット回路体の折曲部を膨らませることなく接続端子をコネクタハウジングにスムーズに挿入することができ、且つ製造工程数の少ないフラット回路体の分岐端末構造を提供することを目的としている。
【０００９】
【課題を解決するための手段】
請求項１記載の発明は、複数の導体を所定間隔を隔てるように配置してベースフィルムで挟み込んでなるフラット回路体の中間部に接続端子を接続固定し、前記フラット回路体を折り返してなるフラット回路体の分岐端末構造であって、前記接続端子には、前端側に相手接続端子と接続する端子部が設けられ且つ後端側に接続基板部が延在されると共に、該接続基板部に前記導体を貫通して前記フラット回路体を接続固定させる接続用突起が形成されており、前記端子部の後端部には、前記接続用突起を加締めて前記接続基板部上に固定した前記フラット回路体の折曲部を押さえる押さえ部が、前記回路体の折曲部に当接し、前記接続端子をコネクタハウジングの端子収容部に挿入する際、前記折曲部が膨らみ上がるのを防ぐように形成されていることを特徴としている。
【００１０】
このような構成の請求項１記載の発明では、接続端子の端子部の後端に設けた押さえ部により、接続基板部上に接続固定されたフラット回路体の折曲部（折り返し部）を押さえることができ、折曲部が膨らみ上がるのを防止する作用がある。このため、フラット回路体を接続、保持した接続端子をコネクタハウジングの端子収容部に挿入する際に、フラット回路体の折曲部がコネクタハウジングに干渉することなく容易に組付作業を行うことができる。
【００１１】
請求項２記載の発明は、請求項１記載のフラット回路体の分岐端末構造であって、前記押さえ部は、前記端子部の後端上部から垂下する垂下板部と該垂下板部の下端縁から後斜め上方へ向けて延在された押さえ板部とからなり、前記接続端子がコネクタハウジングに挿入されたときに、前記押さえ板部が前記コネクタハウジングに当接して前記折曲部を押さえ付けることを特徴としている。
【００１２】
したがって、請求項２記載の発明では、請求項１記載の発明の作用に加えて、押さえ部を、端子部の後端上部から垂下する垂下板部と該垂下板部の下端縁から後斜め上方へ向けて延在された押さえ板部とで形成し、接続端子がコネクタハウジングに挿入されたときに、前記押さえ板部が前記コネクタハウジングに当接して前記折曲部を押さえ付けるようにしているので、この押さえ部によって前記折曲部が膨らみ上がるのを防止でき、当該折曲部をコネクタハウジングに干渉させずに前記接続端子を容易に組み付けることが可能となる。
【００１３】
請求項３記載の発明は、請求項１記載のフラット回路体の分岐端末構造であって、前記押さえ部は、前記端子部の後端両側部から後方へ向けて該端子部の幅よりも次第に広がる片部として形成されており、前記接続端子がコネクタハウジングに挿入されたときに、前記押さえ部が前記コネクタハウジングに当接して前記折曲部を押さえ付けることを特徴としている。
【００１４】
したがって、請求項３記載の発明では、請求項１記載の発明の作用に加えて、押さえ部を、端子部の後端両側部から後方へ向けて該端子部の幅よりも次第に広がる片部として形成し、接続端子がコネクタハウジングに挿入されたときに、前記押さえ部が前記コネクタハウジングに当接して前記折曲部を押さえ付けるようにしているので、この押さえ部によって前記折曲部が膨らみ上がるのを防止でき、当該折曲部をコネクタハウジングに干渉させずに前記接続端子を容易に組み付けることが可能となる。
【００１５】
請求項４記載の発明は、請求項１記載のフラット回路体の分岐端末構造であって、前記押さえ部は、前記端子部の後端両側部から後方へ向けて突設されており、前記フラット回路体を前記接続基板部に接続固定したときに、前記押さえ部が前記折曲部を押さえ付けることを特徴としている。
【００１６】
したがって、請求項４記載の発明では、請求項１記載の発明の作用に加えて、押さえ部を、端子部の後端両側部から後方へ向けて突設し、フラット回路体を接続基板部に接続固定したときに、前記押さえ部が前記折曲部を押さえ付けるようにしているので、この押さえ部によって前記折曲部が膨らみ上がるのを防止でき、当該折曲部をコネクタハウジングに干渉させずに前記接続端子を容易に組み付けることが可能となる。
【００１７】
請求項５記載の発明は、請求項１乃至請求項４のいずれかに記載のフラット回路体の分岐端末構造であって、前記フラット回路体は、前記接続用基板部に重なる部分で前記各導体が分離するように該導体同士の間にスリットが形成されていることを特徴としている。
【００１８】
したがって、請求項５記載の発明では、請求項１〜請求項４に記載の発明の作用に加えて、フラット回路体の導体同士の間にスリットを形成したことにより、フラット回路体を折り曲げ易くすることができる。
【００１９】
【発明の実施の形態】
以下、本発明に係るフラット回路体の分岐端末構造の詳細を図面に示す各実施形態に基づいて説明する。なお、これらの実施形態ではフラット回路体として、フレキシブル・フラットケーブル（ＦＦＣ）を適用して説明する。
【００２０】
（実施形態１）
図１〜図３は、本発明の実施形態１を示している。図１に示すように、本実施形態のフラット回路体の分岐端末構造は、ＦＦＣ２１と、ＦＦＣ２１に接続された接続端子２２ととから大略構成されている。
【００２１】
図１に示すように、ＦＦＣ２１は、例えば圧延した銅箔等からなる複数の導体２３を所定間隔を隔てて平行に配置し、接着剤を用いてベースフィルム２４、２４で挟み込んだものである。このＦＦＣ２１の中間部に接続端子２２を取り付けるため、この部分の導体２３同士の間にスリット２５が形成され、ＦＦＣ２１の幅方向の両側には切欠き２６が形成されている。このようなスリット２５及び切欠き２６は、重ね合わされたベースフィルム２４、２４に形成されたものであり、導体２３には及ばないようになっている。
【００２２】
このようにスリット２５及び切欠き２６が形成されたことにより、互いに分離された導体２３をそれぞれ１本ずつ備える分離部分２７が形成されている。この分離部分２７の幅寸法は、後述する接続端子２２の接続基板部２８の幅寸法よりやや短くなるように設定されている。
【００２３】
次に、接続端子２２の構成について説明する。本実施形態では、接続端子２２として雌端子を用いたものであり、前端部に角筒形状の相手端子を嵌入させる端子部２９を備え、この端子部２９の後側に接続基板部２８が延在されている。なお、本例では、相手端子との接続側を前端側とし、これと反対側を後端側と定義する。
【００２４】
また、接続基板部２８の後端部には、一対の折曲保持片３０Ｂ、３０Ｂが接続基板部２８の両側縁から立設されている。さらに、接続基板部２８の中間位置には、両側縁より二対の接続用突起（バレル）３１が立設されている。また、端子部２９と接続用突起３１との間には、一対の折曲保持片３０Ｆ、３０Ｆが立設されている。なお、接続基板部２８の両側に対向して立設された接続用突起３１、３１同士の間隔は、ＦＦＣ２１の導体２３の幅寸法よりも短く設定されている。
【００２５】
さらに、接続端子２２の端子部２９の上部後端縁には、図３に示すＦＦＣ２１の折曲部２７Ａが膨らみ上がるのを防止する押さえ部３２が設けられている。この押さえ部３２は、図２に示すように、端子部２９の上部で重ね合わされた天板２２Ａ、２２Ｂのうち下側に位置する天板２２Ａの後端縁から延長されており、後端縁から垂下する垂下板部３２Ａと垂下板部３２Ａの下端縁から後斜め上方へ向けて延在された押さえ板部３２Ｂとで形成されている。
【００２６】
次に、コネクタハウジング２０の構成について説明する。図３に示すように、コネクタハウジング２０は、直方体形状であり、接続端子２２及びこれに接続された分離部分２７が収容される端子収容室としてキャビティ部２０Ａが前後方向に貫通して形成されている。なお、コネクタハウジング２０には、幅方向に沿って、複数のキャビティ部２０Ａが平行に形成されている。また、コネクタハウジング２０の底部には、接続端子２２を係止するための可撓性弾性腕部であるランス部２０Ｃが形成されている。
【００２７】
以上、本実施形態１のフラット回路体の分岐端末構造の各部材について説明したが、次に、これらの各部材を組み付ける手順について説明する。まず、図１に示すように、ＦＦＣ２１の分離部分２７を、対応する接続端子２２の接続基板部２８に押し当てて、接続基板部２８に形成されたそれぞれ対をなす折曲保持片３０Ｆ、３０Ｆ同士の間、及び折曲保持片３０Ｂ、３０Ｂ同士の間に配置する。これと同時に、分離部分２７の導体２３部分を、接続用突起３１で突き刺してＦＦＣ２１の上面から接続用突起３１を突出させる。
【００２８】
このような状態において、図示しないピアッシング治具を用いて、折曲保持片３０Ｆ、３０Ｂと接続用突起３１を同時に加絞める。すると、折曲保持片３０Ｆ、３０Ｂ、及び接続用突起３１がそれぞれ内側に丸まって折り曲げられる。
【００２９】
ここで、折曲保持片３０Ｆ、３０Ｂは、ＦＦＣ２１の分離部分２７を押さえ付ける機能を果たしている。また、接続用突起３１は、分離部分２７の導体２３と接続端子２２とを電気的に接続する機能を果たしている。なお、折曲保持片３０Ｆ、３０Ｂは、分離部分２７の側方から折り曲げられて上面を保持している。
【００３０】
また、接続用突起３１は、分離部分２７の下層のベースフィルム２４、導体２３、上層のベースフィルム２４を貫通して分離部分２７の上面へ出て折り曲げられている。そして、上記接続用突起３１の先端は、上面から上層のベースフィルム２４を貫通して再度導体２３に接触するようになっている。
【００３１】
次に、ＦＦＣ２１と接続端子２２とをピアッシングにより接続固定した後は、図３に示すように、接続基板部２８の前端で分離部分２７を折り返して重ね合わせる。このとき、ＦＦＣ２１の分離部分２７の折曲部２７Ａは、押さえ部３２の押さえ板部３２Ｂの下に収容する。これにより、分離部分２７の折曲部２７Ａが押さえ板部３２Ｂで押さえられて、前記折曲部２７Ａが膨らみ上がるのを防止することができる。
【００３２】
次に、図３に示すように、ＦＦＣ２１が組み付けられた接続端子２２を、コネクタハウジング２０の各キャビティ部２０Ａ内に挿入、配置させる。このとき、前記押さえ板部３２Ｂがキャビティ部２０Ａの天井内壁面２０Ｂに当接しながら該キャビティ部２０Ａに挿入されて行くため、該押さえ板部３２Ｂは前記折曲部２７Ａ側へ付勢される。そのため、前記折曲部２７Ａが押さえ板部３２Ｂによって押さえ込まれた状態でキャビティ部２０Ａに挿入されて行くことになり、前記折返し部２７Ａが膨らんでキャビティ部２０Ａ内で干渉することなく、スムーズに前記接続端子２２をコネクタハウジング２０に組み付けることができる。
【００３３】
なお、組み付けが完了すると、コネクタハウジング２０の底部に設けられたランス部２０Ｃと接続端子２２とが係合し、ＦＦＣ２１の分岐端末構造が完成する。
【００３４】
このような本実施形態１のフラット回路体の分岐端末構造では、分離部分２７の折曲部２７Ａが押さえ板部３２Ｂで押さえられているため、接続端子２２をコネクタハウジング２０のキャビティ部２０Ａに挿入させる際に、この折曲部２７Ａが接続端子２２の挿入の際にコネクタハウジング２０に干渉することがないため、作業性を向上させることができる。
【００３５】
また、本実施形態１では、折曲保持片３０Ｆ、３０Ｂと接続用突起３１、３１とを同時に折り曲げ加工できるため、製造工程数を少なくすることができる。
【００３６】
（実施形態２）
図４及び図５は、本発明に係るフラット回路体の分岐端末構造の実施形態２を示している。本実施形態２では、接続端子２２の構造が上記した実施形態１の接続端子２２と異なるが、他の構成は上記実施形態１と同様であるため、異なる構成部分のみ説明する。
【００３７】
本実施形態２においては、図４及び図５に示すように、接続端子２２の端子部２９の後端両側部から後方へ向けて（接続用突起３１側に向けて）該端子部２９の幅よりも次第に広がる片部として形成される押さえ部３３が設けられている。そして、この押さえ部３３の後端上部には、さらに後方へ突出する上部突出部３３Ａが形成されている。
【００３８】
図５に示すように、上記押さえ部３３の下に分離部分２７の折曲部２７Ａを収容、配置させることにより、前記押さえ部３３によって折曲部２７Ａが膨らみ上がるのを防止できる。また、接続端子２２をコネクタハウジング２０へ挿入する際に、上記押さえ部３３、３３がキャビティ部２０Ａの両側内壁面に当接しながらキャビティ部２０Ａに挿入されて行くため、該押さえ部３３、３３は前記折曲部２７Ａを挟み付けるように付勢される。
【００３９】
そのため、押さえ部３３、３３の上部突出部３３Ａ、３３Ａが前記折曲部２７Ａを上から押さえ付ける状態で接続端子２２がキャビティ部２０Ａに挿入されて行くことになり、前記折曲部２７Ａが膨らんでキャビティ部２０Ａ内で干渉することなくスムーズに接続端子２２をコネクタハウジング２０に組み付けることができる。なお、本実施形態２の他の作用、効果は上記した実施形態１と同様である。
【００４０】
（実施形態３）
図６及び図７は、本発明に係るフラット回路体の分岐端末構造の実施形態３を示している。本実施形態３では、接続端子２２の構造が上記した実施形態１及び実施形態２の接続端子２２と異なる。なお、他の構成は上記実施形態１及び実施形態２と同様であるため、その説明を省略する。
【００４１】
本実施形態３においては、図６及び図７に示すように、接続端子２２の端子部２９の後端両側部から後方へ向けて（接続用突起３１側に向けて）突設する板状の押さえ部３４、３４が形成されている。この押さえ部３４、３４の下端縁の後部に斜め下方内側へ向けて延在された押さえばね片３４Ａ、３４Ａが形成されている。
【００４２】
図７に示すように、押さえばね片３４Ａ、３４Ａの下に分離部分２７の折曲部２７Ａを収容、配置させることにより、この押さえ部３４、３４によって折曲部２７Ａが膨らみ上がるのを防止できる。特に、この実施形態３では、ＦＦＣ２１を接続端子２２にピアッシングして接続固定するときに、ＦＦＣ２１の折曲部２７Ａを押さえ部３４、３４によって上から押さえ込むことができる。したがって、接続端子２２をコネクタハウジング２０へ挿入する際に、キャビティ部２０Ａ内で折曲部２７Ａが干渉するのを防止できる。なお、本実施形態３の他の作用、効果は上記した実施形態１と同様である。
【００４３】
以上、各実施形態について説明したが、本発明はこれに限定されるものではなく、本発明構成の要旨に付随する各種の変更が可能である。
【００４４】
例えば、上記した各実施形態では、フラット回路体としてＦＦＣ２１を適用して説明したが、フレキシブル・プリントサーキット（ＦＰＣ）を適用することは勿論可能である。
【００４５】
【発明の効果】
以上の説明から明らかなように、請求項１記載の発明によれば、接続端子の端子部の後端に設けた押さえ部により、接続基板部上に接続固定されたフラット回路体の折曲部を押さえることができ、該折曲部が膨らみ上がるのを防止する作用がある。このため、フラット回路体を接続、保持した接続端子をコネクタハウジングの端子収容部に挿入する際に、フラット回路体の折曲部がコネクタハウジングに干渉することなく容易に組付作業を行うことができる。
【００４６】
請求項２記載の発明によれば、請求項１記載の発明の効果に加えて、押さえ部を、端子部の後端上部から垂下する垂下板部と該垂下板部の下端縁から後斜め上方へ向けて延在された押さえ板部とで形成し、接続端子がコネクタハウジングに挿入されたときに、前記押さえ板部が前記コネクタハウジングに当接して前記折曲部を押さえ付けるようにしているので、この押さえ部によって前記折曲部が膨らみ上がるのを防止でき、当該折曲部をコネクタハウジングに干渉させずに前記接続端子を容易に組み付けることができる。
【００４７】
請求項３記載の発明によれば、請求項１記載の発明の効果に加えて、押さえ部を、端子部の後端両側部から後方へ向けて該端子部の幅よりも次第に広がる片部として形成し、接続端子がコネクタハウジングに挿入されたときに、前記押さえ部が前記コネクタハウジングに当接して前記折曲部を押さえ付けるようにしているので、この押さえ部によって前記折曲部が膨らみ上がるのを防止でき、当該折曲部をコネクタハウジングに干渉させずに前記接続端子を容易に組み付けることができる。
【００４８】
請求項４記載の発明によれば、請求項１記載の発明の作用に加えて、押さえ部を、端子部の後端両側部から後方へ向けて突設し、フラット回路体を接続基板部に接続固定したときに、前記押さえ部が前記折曲部を押さえ付けるようにしているので、この押さえ部によって前記折曲部が膨らみ上がるのを防止でき、当該折曲部をコネクタハウジングに干渉させずに前記接続端子を容易に組み付けることが可能となる。
【００４９】
請求項５記載の発明によれば、請求項１〜請求項４に記載の発明の効果に加えて、フラット回路体の導体同士の間にスリットを形成したことにより、フラット回路体を折り曲げ易くすることができる。
【図面の簡単な説明】
【図１】本発明に係るフラット回路体の分岐端末構造の実施形態１を示す分解斜視図である。
【図２】実施形態１に用いる接続端子を示す斜視図である。
【図３】実施形態１のフラット回路体の分岐端末構造を示す断面図である。
【図４】実施形態２に用いる接続端子を示す斜視図である。
【図５】実施形態２のフラット回路体と接続端子との組付構造を示す側面図である。
【図６】実施形態３に用いる接続端子を示す斜視図である。
【図７】実施形態２のフラット回路体と接続端子との組付構造を示す側面図である。
【図８】従来のフラット回路体の分岐端末構造に用いられる接続端子の斜視図である。
【図９】従来のフラット回路体の分岐端末構造を示す斜視図である。
【図１０】従来のフラット回路体の分岐端末構造を示す部分断面図である。
【図１１】従来のフラット回路体の分岐端末構造の製造工程を示す部分断面図である。
【符号の説明】
２０  コネクタハウジング
２０Ａ  キャビティ部（端子収容部）
２１  フレキシブル・フラットケーブル（ＦＦＣ）
２２  接続端子
２３  導体
２４  ベースフィルム
２５  スリット
２７Ａ  折曲部
２８  接続基板部
２９  端子部
３０Ｆ、３０Ｂ  折曲保持片
３１  接続用突起
３２  押さえ部
３２Ａ  垂下板部
３２Ｂ  押さえ板部
３３、３４  押さえ部
【図１】
0003679292.tif 000002
【図２】
0003679292.tif 000003
【図３】
0003679292.tif 000004
【図４】
0003679292.tif 000005
【図５】
0003679292.tif 000006
【図６】
0003679292.tif 000007
【図７】
0003679292.tif 000008
【図８】
0003679292.tif 000009
【図９】
0003679292.tif 000010
【図１０】
0003679292.tif 000011
【図１１】
0003679292.tif 000012